(57)【要約】【課題】  発光部から射出された光により形成される撮影レンズの影が撮像されることを予め検出し表示することができる撮像装置を提供する。【解決手段】  撮影レンズを介した被写体光を撮像する撮像部と、前記被写体に対して光を照射する発光部と、前記撮像部と前記被写体との距離を取得する距離取得部と、前記発光部から射出された光により形成される前記撮影レンズの影が前記撮像部により撮像されるか否かのケラレ判定を前記距離取得部により取得した前記距離及び前記撮影レンズの像倍率に応じて行うケラレ判定部と、前記ケラレ判定部により前記の撮影レンズの影が前記撮像部により撮像されると判定された場合には、判定結果を出力表示する表示制御部とを備える。【選択図】  図３
2011082849.tif 000002
【特許請求の範囲】
【請求項１】
撮影レンズを介した被写体光を撮像する撮像部と、
前記被写体に対して光を照射する発光部と、
前記撮像部と前記被写体との距離を取得する距離取得部と、
前記発光部から射出された光により形成される前記撮影レンズの影が前記撮像部により撮像されるか否かのケラレ判定を前記距離取得部により取得した前記距離及び前記撮影レンズの像倍率に応じて行うケラレ判定部と、
前記ケラレ判定部により前記の撮影レンズの影が前記撮像部により撮像されると判定された場合には、判定結果を出力表示する表示制御部と
を備えることを特徴とする撮像装置。
【請求項２】
被写体を観察する光学ファインダまたは電子ビューファインダを更に備え、
前記表示制御部は、前記判定結果を前記光学ファインダまたは前記電子ビューファインダに出力表示することを特徴とする請求項１記載の撮像装置。
【請求項３】
前記撮像部からの出力に応じてスルー画を表示する表示部を更に備え、
前記表示制御部は、前記判定結果を前記表示部に出力表示することを特徴とする請求項１記載の撮像装置。
【請求項４】
前記表示制御部は、撮像を行った場合に撮像されることとなる前記撮影レンズの影を出力表示することを特徴とする請求項２または３記載の撮像装置。
【請求項５】
前記表示制御部は、撮像を行った場合に前記撮影レンズの影が撮像される旨の警告表示を出力することを特徴とする請求項２または３記載の撮像装置。
【請求項６】
前記撮影レンズの情報を取得する通信部を更に備え、
前記撮影レンズの情報に基づいて前記撮像部と前記被写体との前記距離及び前記撮影レンズの前記像倍率を算出することを特徴とする請求項１〜５の何れか一項に記載の撮像装置。
【請求項７】
前記通信部は、前記撮影レンズの先端に設けられたフィルタ及びフードの情報を更に取得することを特徴とする請求項６記載の撮像装置。
【請求項８】
前記ケラレ判定部は、合焦時に前記ケラレ判定を行うことを特徴とする請求項１〜７の何れか一項に記載の撮像装置。
【請求項９】
前記ケラレ判定部により前記撮影レンズの影が前記撮像部により撮像されると判定された場合に、前記撮影レンズの影が撮像されることとなる領域を除いて撮像を行う撮像画像処理部を備えることを特徴とする請求項１〜８の何れか一項に記載の撮像装置。
【発明の詳細な説明】
【技術分野】
【０００１】
本発明は、撮像装置に関するものである。
【背景技術】
【０００２】
撮像素子からの出力の一部を記録するクロップ撮影を行うことができる撮像装置が知られている（例えば、特許文献１参照）。この撮像装置においては、ファインダで観察される画像において記録しない領域を半透過として表示している。
【先行技術文献】
【特許文献】
【０００３】
【特許文献１】特開２００７−１６６１４４号公報
【発明の概要】
【発明が解決しようとする課題】
【０００４】
ところで、スピードライトを用いた場合にスピードライトから射出された光により形成される撮影レンズの影が撮像されるおそれがある。
【課題を解決するための手段】
【０００５】
本発明の撮像装置は、撮影レンズを介した被写体光を撮像する撮像部と、前記被写体に対して光を照射する発光部と、前記撮像部と前記被写体との距離を取得する距離取得部と、前記発光部から射出された光により形成される前記撮影レンズの影が前記撮像部により撮像されるか否かのケラレ判定を前記距離取得部により取得した前記距離及び前記撮影レンズの像倍率に応じて行うケラレ判定部と、前記ケラレ判定部により前記の撮影レンズの影が前記撮像部により撮像されると判定された場合には、判定結果を出力表示する表示制御部とを備えることを特徴とする。
【発明の効果】
【０００６】
本発明の撮像装置によれば、発光部から射出された光により形成される撮影レンズの影が撮像されることを予め検出し表示することができる。
【図面の簡単な説明】
【０００７】
【図１】本発明の実施の形態に係るカメラの概略構成を示す図である。
【図２】本発明の実施の形態に係るカメラのシステム構成を示すブロック図である。
【図３】本発明の実施の形態に係るカメラのケラレ判定を説明する断面図である。
【図４】本発明の実施の形態に係るカメラのファインダ像又はスルー画を示す図である。
【図５】本発明の実施の形態に係るカメラの撮像領域とファインダ像との関係を示す図である。
【図６】本発明の実施の形態に係る外付けスピードライトを示す図である。
【発明を実施するための形態】
【０００８】
以下、図面を参照して本発明の実施の形態に係る撮像装置について説明する。図１は、実施の形態に係るカメラの概略構成を示す図である。カメラ２は筐体４を備え、筐体４の前面には被写体からの光をカメラ内部に導く撮影レンズ６が着脱可能に又は固定して装着され、また、合焦の際に被写体が低輝度である場合等に発光を行うＡＦ補助光源７が設けられている。ここで、撮影レンズ６は、レンズ鏡筒内部にメインレンズ、焦点距離調節レンズ、フォーカスレンズ等の複数のレンズからなるレンズ系８、図示しない絞り等を備え、レンズ鏡筒に撮像画角を決定する図示しないズームリング、ピント合わせを行う図示しないピントリングを備えている。
【０００９】
筐体４の内部には、回動可能に設けられ撮影レンズ６を介した被写体光の光路を切り替えるクイックリターンミラー１０、撮影レンズ６を介した被写体光を撮像して撮像信号（蓄積電荷としてのアナログ信号）を生成するＣＣＤ或いはＣＭＯＳ等により構成される撮像素子１２、位相差検出式の焦点検出装置１４等を備えている。ここで、クイックリターンミラー１０が撮影レンズ６と撮像素子１２との間の被写体光の光路中に位置しているミラーダウン時においては、ファインダ表示素子１６に結像されたファインダ像をペンタプリズム１８、接眼レンズ１９等のファインダ光学系を介してファインダ接眼窓２０において観察することができる。ペンタプリズム１８を通過した光の一部は図示しないハーフミラーにより測光センサ２１に入射する。また、クイックリターンミラー１０に設けられたサブミラー１１により被写体光の一部が反射され焦点検出装置１４に入射する。焦点検出装置１４は撮影領域内に設定される複数の焦点検出エリア（測距点）についての焦点位置を検出する。
【００１０】
また、筐体４の上部には使用時には図１に示すようにポップアップする格納式のスピードライト２２、外付けのスピードライト等のアクセサリーを取り付けるためのアクセサリーシュー２４、半押しにより合焦、全押しにより撮像の指示を行う図示しないレリーズボタン、ポートレートモード及び風景撮影モード等のレリーズモードの設定を行う図示しないレリーズモードダイヤル等が設けられている。また、筐体４の背面にはスルー画や撮像画像等を表示するＬＣＤ等からなる表示素子２６、静止画撮影及び動画撮影の設定等の撮影条件の設定を行う図示しないマルチセレクタ等が設けられている。
【００１１】
図２は実施の形態に係るカメラのシステム構成を示すブロック図である。カメラ２はＣＰＵ２８を備え、ＣＰＵ２８にはＡＦ補助光源７、撮像素子１２、焦点検出装置１４、測光センサ２１、スピードライト２２、操作部３０、撮像素子１２から出力された撮像信号を図示しないＡ／Ｄ変換部においてＡ／Ｄ変換することにより生成された画像データを記憶するバッファメモリ３２、撮像素子１２から出力される撮像信号に基づく画像データに対してホワイトバランス調整、輪郭補償、ガンマ補正等の画像処理を行う画像処理部３４、表示素子２６の表示制御を行う表示制御部３６、撮像画像や種々のデータを記憶するメモリカード３８、エンコーダ４０により検出された図示しないズームリング及びピントリングの位置等の撮影レンズ６に関する情報を取得する通信部４２、レンズ系８及びクイックリターンミラー１０の駆動制御を行う撮像制御部４４、撮影レンズ６の情報に基づいてスピードライト２２等から射出された光により撮影レンズ６のレンズ鏡筒の影が撮像されるか否かの判定を行うケラレ判定部４６、通信部４２により取得した撮影レンズ６のズームリング及びピントリングの位置から後述する被写体距離Ｌ１や像倍率Ｍを求めるためのテーブルを記憶するテーブル記憶部４７、アクセサリーシュー２４を介して取り付けられた外付けスピードライト等の情報を取得するアクセサリー情報取得部４８が接続されている。
【００１２】
次に、図３を参照して本実施の形態に係るカメラのケラレ判定について説明する。図３は撮像素子１２の略中心における撮像素子１２の結像面に垂直な平面を示した断面図である。図３においては撮像素子１２の中心を原点にとり、撮影レンズ６等の撮影光学系の光軸をｚ軸、撮像素子の撮像面をｙ軸とし、図中左方向をｚ軸の正方向、上方向をｙ軸の正方向として説明する。
【００１３】
被写体がｚ＝Ｌ１平面上に位置し、ｚ＝Ｌ１平面上における撮像素子１２の撮像領域は−Ｒ２≦ｙ≦Ｒ２とする。また、撮像素子１２は、ｚ＝０平面において−Ｒ１≦ｙ≦Ｒ１の範囲を有するものとする。このとき、実際の被写体の大きさと撮像素子上での被写体の大きさの比を表す像倍率Ｍは
Ｍ＝Ｒ１／Ｒ２          （１）
で表される。
【００１４】
また、このとき、スピードライト２２から射出された光により形成される撮影レンズ６のレンズ鏡筒の影が撮像されない状態である所謂ケラレが発生しない条件は、スピードライト２２の発光管中心と撮影レンズ６のレンズ鏡筒先端の上端とを結ぶ直線と、ｚ＝Ｌ１との交点のｙ座標の絶対値であるＲ３を用いて
Ｒ２＜Ｒ３      （２）
で表される。スピードライト２２の発光管中心の座標を（ｚ１、ｙ１）、撮影レンズ６のレンズ鏡筒の先端のｚ座標をＬ２、また、レンズ鏡筒先端の直径をφ２とすると、図３より
【数１】
2011082849.tif 000003
が成り立ち、これより
【数２】
2011082849.tif 000004
を得る。また、式（１）より得られるＲ２＝Ｒ１／Ｍ及び式（３）を式（２）に代入すると、ケラレが発生しない条件は
【数３】
2011082849.tif 000005
となる。即ち、
【数４】
2011082849.tif 000006
を満たせばケラレは発生せず、撮影レンズ６の鏡筒先端の直径φ２、撮像素子１２の結像面のｙ方向の長さの１／２の値であるＲ１及びスピードライト２２の発光管中心の座標に係るｚ１、ｙ１は既知であるため、像倍率Ｍ及び被写体距離Ｌ１の値が得られればケラレが発生するか否かを判定することができる。
【００１５】
ここで、撮影者は被写体の撮影を行う場合には、撮影レンズ６に設けられた図示しないズームリング及びピントリングを用いて被写体が位置するｚ＝Ｌ１に画角を調整しピントを合わせる。カメラ２は通信部４２を介してエンコーダ４０からズームリング及びピントリングの位置等の撮影レンズ６の情報を取得し、これらの情報からテーブル記憶部４７を参照して被写体距離Ｌ１及び像倍率Ｍを算出する。従って、ケラレ判定部４６は（６）式によりケラレが発生するか否かを判定することができる。
【００１６】
また、ケラレ判定部４６は、所定の操作が行われた際にケラレ判定を行ってもよいし、所定時間毎にケラレ判定を行ってもよい。例えば、静止画撮影の際にはレリーズボタンが半押しされた際にケラレ判定を行い、動画撮影の際には１秒等の所定時間毎にケラレ判定を行う構成としてもよい。
【００１７】
また、スピードライト２２が撮像時に発光されるように設定されている場合にのみケラレ判定を行うようにしてもよい。また、スピードライト２２を発光させるか否かを測光センサ２１により測定された輝度値を用いて判定する場合においても、発光させる場合にのみケラレ判定を行う構成としてもよい。
【００１８】
次に、図面を参照してケラレ判定部によりケラレが生じると判定された場合の処理について説明する。ケラレ判定部４６によりケラレが発生すると判定された場合には、図４に示すように表示制御部３６はファインダ接眼窓２０において観察されるファインダ像またはスルー画撮影を行っている場合には表示素子２６に表示されるスルー画に対して、そのまま撮像を行った場合に撮像される撮影レンズ６の鏡筒の影の画像５０を重ねて表示する。ここで、表示される影の画像５０の大きさは、上述のφ２、Ｒ１、ｚ１、ｙ１、Ｍ及びＬ１の値から算出された実際に撮像されることとなる影の大きさである。なお、ファインダ像またはスルー画に対して表示される影を例えば薄いグレー等を用いて半透過で表示してもよいし、例えば赤等に塗りつぶして表示してもよい。また、ファインダ接眼窓２０において電子ビューファインダ像を観察する構成となっている場合には、電子ビューファインダ像に対して撮影レンズ６の鏡筒の影の画像５０を重ねて表示する。なお、撮影レンズ６のズームリング及びピントリングの位置からクロップ枠５２を表示するようにしてもよい。
【００１９】
撮影者は、影の画像５０が表示された場合にファインダ像またはスルー画に基づいて、影が撮像画像に写り込んでもよい場合はそのまま撮像を行い、影が写り込むことを望まない場合には横位置撮影から縦位置撮影に変更する等、構図を変更することができる。
【００２０】
本実施の形態に係るカメラによればスピードライトから射出された光により形成される撮影レンズの影が撮像されることを予め検出して表示するため、撮影者は表示結果を判断材料として撮像を行うことができる。
【００２１】
なお、ケラレ判定部４６によりケラレが発生すると判定され、レリーズボタンが全押しされた場合には、影が写り込まない領域を切り出して撮像を行うクロップ撮影を行ってもよい。この場合には、図４に示すようにＣＰＵ２８はクロップ枠５２内の画像を切り出し、撮像を行う。このとき、クロップ枠５２をファインダ像やスルー画に重ねて表示してもよい。
【００２２】
また、図５に示すようにファインダにおける視野率が１００％未満であるカメラにおいては、撮像素子１２の撮像領域５４には撮影レンズ６の鏡筒の影が写り込むが、ファインダ接眼窓２０で観察されるファインダ像には鏡筒の影の画像５０が表示されない場合がある。この場合には、表示制御部３６はファインダ像に対してケラレが発生する旨を示す警告表示５６を表示する。なお、図５に示す図形による警告表示５６に代えて「ケラレます」や「影が写ります」等の文字による警告表示を行ってもよい。
【００２３】
また、カメラが顔認識機能等の被写体認識機能を備える場合において、ケラレ判定と被写体認識機能を連動させてもよい。即ち、例えば顔認識機能により認識された顔の位置と撮影レンズ６の鏡筒の影が写り込む領域とが一致する場合には、レリーズロックを行ってもよいし、表示制御部３６により影の画像５０または警告表示５６を点滅させる等の強い警告表示を行ってもよい。このとき、レリーズモードダイヤルによって設定されたレリーズモードがポートレートモードである場合にはレリーズロックを行い、それ以外のレリーズモードに設定されている場合には強い警告表示を行うようにしてもよい。
【００２４】
次に、アクセサリーシューに外付けスピードライトを取り付けた場合、及び撮影レンズの鏡筒先端にフードやフィルタを取り付けた場合のケラレ判定について説明する。図６に示す外付けスピードライト５８を取付部６０を介してアクセサリーシュー２４に取り付けた場合には、図３に示すようにアクセサリーシュー２４の座標は（ｚ２、ｙ２）であるため、外付けスピードライト５８の発光管中心６２の座標は（ｚ２＋ｚ３、ｙ２＋ｙ３）となる。従って、外付けスピードライト５８を用いた場合には、ｚ３、ｙ３の値等の外付けスピードライト５８の情報をアクセサリー情報取得部４８を介して取得し、ケラレ判定部４６は式（６）におけるｚ１をｚ２＋ｚ３に、ｙ１をｙ２＋ｙ３にそれぞれ置き換えてケラレ判定を行う。
【００２５】
撮影レンズ６の鏡筒先端にフードを取り付けた場合には、カメラ２は撮影レンズ６を介してフードの情報を取得する。即ち、撮影レンズ６が鏡筒先端近傍に電気接点を用いたフードガイドを備え、撮影レンズ６が電気接点を介して取得したフードの情報をカメラ２は通信部４２を介して取得し、ケラレ判定部４６によるケラレ判定に用いる。
【００２６】
なお、この場合に撮影レンズ６の鏡筒先端近傍に特定のフードを取り付けた場合にのみオンするオンオフ式のスイッチを設けることにより、特定のフードが取り付けられた場合にのみフードの情報を取得可能な構成としてもよい。また、フード及びカメラ２に無線通信可能な無線通信部をそれぞれ設けることにより、フードの情報を無線により取得する構成としてもよい。
【００２７】
撮影レンズ６の先端にフィルタを取り付けた場合には、撮影者がカメラ２に設けられたマルチセレクタ等を用いて手動によりフィルタの直径、高さ等を入力することでカメラ２はフィルタの情報を取得し、ケラレ判定部４６によるケラレ判定に用いる。ここで、撮影者が入力する直径、高さ等の値はカタログ等に記載のものでもよいし、実際に測定した値であってもよい。
【００２８】
なお、上述の実施の形態においては、ズームリング及びピントリングの位置から被写体距離や像倍率を求めるためのテーブルをカメラが備える構成として説明したが、このテーブルを撮影レンズが備える構成としてもよい。この構成においては、ケラレ判定を像倍率を用いて行うため、撮像素子が異なる場合であっても撮影レンズで求めた像倍率及び被写体距離をケラレ判定に用いることができる。
【００２９】
また、上述の実施の形態においては、ケラレ判定部によりケラレが発生することが判定された後にファインダ像またはスルー画に影の画像または警告表示を行う構成としたが、装着されている撮影レンズの種類の情報を用いて、予め「常にケラレが発生する」、「被写体から何ｍ以上離れた場合にはケラレが発生しない」等の判定を行い、その旨の表示を行う構成としてもよい。また、撮影レンズが２段階以上の繰り出し式の鏡筒で構成されている場合には、何れの鏡筒が原因でケラレが発生するかを表示するようにしてもよい。また、上述の実施の形態においてスピードライトはカメラの正面の略中央に設けられる構成として説明したが、左右の何れかに設けられる構成としてもよい。この場合には式（６）をスピードライトが設けられる位置に応じて修正し、ケラレ判定を行う。
【００３０】
また、ズームが不可能な撮影レンズを用いた場合においても装着されている撮影レンズの種類の情報を用いて、予め「常にケラレが発生する」、「被写体から何ｍ以上離れた場合にはケラレが発生しない」等の判定を行い、その旨の表示を行ってもよい。
【００３１】
また、上述の実施の形態においては、像倍率Ｍを上述のＲ１及びＲ２から算出する構成を例に説明したが、像倍率Ｍを焦点距離と被写体距離とを用いて、Ｍ＝（焦点距離／被写体距離）として算出してもよい。
【符号の説明】
【００３２】
２…カメラ、６…撮影レンズ、１２…撮像素子、１６…ファインダ表示素子、２０…ファインダ接眼窓、２２…スピードライト、２６…表示素子、２８…ＣＰＵ、３６…表示制御部、４０…エンコーダ、４２…通信部、４６…ケラレ判定部、４７…テーブル記憶部。
【図１】
2011082849.tif 000007
【図２】
2011082849.tif 000008
【図３】
2011082849.tif 000009
【図４】
2011082849.tif 000010
【図５】
2011082849.tif 000011
【図６】
2011082849.tif 000012